(57)【要約】【課題】ＬＡＮケーブルをその使用条件である最小曲げ半径以上に保持しつつ、同時にケーブル引っ張り等の外部からの過負荷によるコネクタの破壊やコネクタを実装しているプリント板のフットパターン剥離等による断線を防止することにある。【解決手段】筐体２の開口部２ａ内に露出したコネクタ１にプラグを差し込まれて接続されるＬＡＮケーブル６を保持するＬＡＮケーブル保持器具５であって、ＬＡＮケーブル６を挿通される筒状のケーブル通路５ｂを有し、そのケーブル通路５ｂに挿通されたＬＡＮケーブル６をそのＬＡＮケーブルの最小曲げ半径以上の曲げ半径で少なくともそのＬＡＮケーブルの曲がりの半径方法内側から保持するケーブル引出し部５ａと、筐体２と別体に形成され、筐体２の開口部２ａの近傍に固定されて、ケーブル引出し部５ａを支持するとともにコネクタ１を掛止する固定部５ｃと、を具えてなるものである。【選択図】図１
2006352012.tif 000002
【特許請求の範囲】
【請求項１】
筐体開口部内に露出したコネクタにプラグを差し込まれて接続されるＬＡＮケーブルを保持するＬＡＮケーブル保持器具において、
前記ＬＡＮケーブルを挿通される筒状のケーブル通路を有し、そのケーブル通路に挿通された前記ＬＡＮケーブルをそのＬＡＮケーブルの最小曲げ半径以上の曲げ半径で少なくともそのＬＡＮケーブルの曲がりの半径方法内側から保持するケーブル引出し部と、
前記筐体と別体に形成され、前記筐体開口部の近傍に固定されて、前記ケーブル引出し部を支持するとともに前記コネクタまたは前記プラグを掛止する固定部と、
を具えてなる、ＬＡＮケーブル保持器具。
【請求項２】
前記ケーブル引出し部は、前記固定部に固定されるとともに、円弧状に延在する前記ケーブル通路を有することを特徴とする、請求項１記載のＬＡＮケーブル保持器具。
【請求項３】
前記ケーブル引出し部は、前記固定部に固定されるとともに、ラッパ状に延在する前記ケーブル通路を有することを特徴とする、請求項１記載のＬＡＮケーブル保持器具。
【請求項４】
前記前記ケーブル引出し部は、前記固定部に回転可能に支持されるとともに、円弧状に延在する前記ケーブル通路を有することを特徴とする、請求項１記載のＬＡＮケーブル保持器具。
【発明の詳細な説明】
【技術分野】
【０００１】
この発明は、ＬＡＮ（Local Area Network：ローカルエリアネットワーク）ケーブルを接続される通信機器やコンピュータ関連等の装置に用いられ、ＬＡＮケーブルの使用条件である最小曲げ半径以上でＬＡＮケーブルを保持してＬＡＮケーブルを保護するとともに、ＬＡＮケーブルの引っ張りによるコネクタの破損や装置内部のコネクタを実装したプリント板のフットパターンの破損などによる接続不良から装置を保護するＬＡＮケーブル保持器具に関するものである。
【背景技術】
【０００２】
近年、通信機器やコンピュータ関連装置は、電子回路部品や装置の小型化及びプリント板の高密度実装化が進み、ＬＡＮケーブル用のコネクタを含めて、プリント板実装部品のＳＭＤ（Surface Mount Device：表面実装タイプ）化率がどんどん高くなる一方で、ＳＭＤ化によりコネクタ単体の取付け強度が下がっており、一層の品質・信頼性の向上が求められている。
【０００３】
組立製造性を見ると、高密度実装への対応と製造コスト低減からＳＭＤ部品は必要不可欠な部品であり、自動機による部品実装が出来ないと高密度実装もコスト低減も進まず、何より製造品質の確保が出来なくなる。
【０００４】
ＳＭＤ部品は、プリント板表面のフットパターンに載せて半田する構造であるため、ＩＭＤ（Insert Mount Device：差込み実装タイプ）部品のようにプリント板の取付け用穴（スルホール）に半田固定する構造に比べると取付け強度が低い。このため、ＳＭＤ化したコネクタにケーブル引張時に過負荷がかかった場合は、プリント板のフットパターンへの半田付け強度のみでコネクタを固定しているだけなので、フットパターンの剥離による断線やコネクタの取付け端子破損による断線の発生が懸念される。
【０００５】
またＳＭＤ部品は、プリント板の表面に載せて半田固定する構造のため、半田が溶けてプリント板のフットパターンとＳＭＤ部品の取付け端子との間に行き渡り、その後固まって固定されるまでに、ＳＭＤ部品がプリント板表面で動いたり取付け端子が浮いてしまったりすることがある。このため、ＳＭＤ化したコネクタでは、筐体のコネクタ受け形状が近過ぎると、組立時にコネクタが筐体と干渉してプリント板のフットパターン剥離やコネクタの取付け端子破損を生じさせる結果となることから、適切な形状とクリアランスを設けなければならないが、逆にクリアランスが多過ぎると後述するようなコネクタの保護構造が機能しなくなるため、クリアランスの設計が容易ではない。
【０００６】
ちなみに、ＩＭＤ部品の場合は、スルホール穴への半田付けで充分な取付け強度が得られていたが、ＩＭＤ部品では実装面積（実際の部品取付け面に加えて、実装用のスルホール穴があるため半田付け面も必要になる）が大きく、近年の電子部品の小型化及びプリント板への高密度実装が実現できなくなるばかりでなく、プリント板の実装工程も工程が増えたり手付け半田作業が発生したりする場合があり、製造コストの低減を阻害し製造品質の低下につながるという不都合がある。
【０００７】
ところで、図４（ａ），（ｂ）は、通信機器の一種として電話機を例示する平面図および底面図であり、図４（ｂ）に示すようにこの電話機の底面にも、イーサネット（登録商標）接続のＬＡＮ用およびパーソナルコンピュータ（ＰＣ）用に、ＬＡＮケーブルのプラグを装着し得る二個のコネクタ１がＳＭＤ部品として設けられている。
【０００８】
図５（ａ），（ｂ）および（ｃ）は、上記のようなコネクタ１と電話機等の装置の筐体との間の、コネクタの保護のない従来の構造を示す正面図、同図のＡ−Ａ断面図およびＢ−Ｂ断面図であり、従来はこの図５に示すように、電話機等の装置の筐体２に、その装置の内部のプリント板３上に表面実装したストレートタイプ（プラグ差込み口がプリント板の真上に向くタイプ）のコネクタ１の周囲に隙間ｔが空くように開口部としてのコネクタ穴２ａを形成して、筐体２がコネクタ１自体に干渉しない構造としており、ＬＡＮケーブルを引っ張る外力はコネクタ１に直接加わっていた。
【０００９】
図６（ａ），（ｂ）および（ｃ）は、図５に示すと同様のストレートタイプのコネクタ１と電話機等の装置の筐体との間の、コネクタの保護を図る場合の構造を示す正面図、同図のＣ−Ｃ断面図およびＤ−Ｄ断面図であり、この図６に示す構造では、装置の筐体２のコネクタ穴２ａに、コネクタ１を外力から保護するための突起形状部２ｂを設け、外力によりコネクタ１が引っ張られると筐体２の突起形状部２ｂにコネクタ１がぶつかるようにしてコネクタ１を保護するが、コネクタ１／筐体２／プリント板３などの寸法バラツキや組立寸法バラツキなどを考慮する必要があるため、コネクタ１と筐体２のコネクタ穴２ａや突起形状部２ｂとの間にある程度のクリアランスを設けている。
【００１０】
図７（ａ），（ｂ）および（ｃ）は、ライトアングルタイプ（プラグ差込み口がプリント板と平行に向くタイプ）のコネクタ４と電話機等の装置の筐体２との間の、コネクタの保護を図る場合の構造を示す正面図、同図のＥ−Ｅ断面図およびＦ−Ｆ断面図であり、この図７に示す構造では、装置の筐体２のコネクタ穴２ａに、コネクタ４を外力から保護するための突起形状部２ｂを設けるとともに、筐体２のコネクタ穴２ａの背後に、コネクタ４を外力から保護するためのリブ２ｃを設け、外力によりコネクタ１が引っ張られると筐体２の突起形状部２ｂおよびリブ２ｃにコネクタ４がぶつかるようにしてコネクタ４を保護するが、ここでもコネクタ４／筐体２／プリント板３などの寸法バラツキや組立寸法バラツキなどを考慮する必要があるため、コネクタ４と筐体２のコネクタ穴２ａや突起形状部２ｂやリブ２ｃとの間にある程度のクリアランスを設けている。
【００１１】
しかしながら、これらのクリアランスは、ＬＡＮケーブルを引っ張る外力によるコネクタ破損からコネクタ１，４を保護できる最大寸法以下で無ければならず、それゆえ構造設計の難易度が高くなっていた。
【００１２】
一方、ＬＡＮケーブルについては、コネクタ１，４へ接続するだけになっていたため、ＬＡＮケーブル使用条件の最小曲げ半径以上に保持していないので、ＬＡＮケーブルを引っ張るなどした場合に、最小曲げ半径より小さい曲げ半径となってしまう場合がある。そこで、ＬＡＮケーブルを保護するために従来、例えば特許文献１に記載された如き構造が知られている。
【特許文献１】特開２００１−８５８６９
【００１３】
この従来の構造は、装置の筐体の底部の固定構造部分に設けた円弧状に延在する溝内にＬＡＮケーブルを固定することで、ＬＡＮケーブル使用条件の最小曲げ半径以上に保持するとともに、ＬＡＮケーブルから受ける外力を抑えてプラグとコネクタとの接触安定性を向上させるものである。
【発明の開示】
【発明が解決しようとする課題】
【００１４】
しかしながら、ＬＡＮ製品以外の接続ケーブルは最小曲げ半径等の使用制限が無かったため、装置筐体にケーブルを保持する構造を設けることで容易にケーブル及びコネクタを保護することができたが、ＬＡＮ製品の場合には、例えば上記特許文献１記載のもののようにＬＡＮケーブルの固定を装置の筐体の固定構造部分で行うこととすると、最小曲げ半径の制限から、装置外観が大きくなってデザイン上の制約となってしまうという不都合があり、装置外観が大きいとケース材料も多く必要となり、環境面への負荷も高くなるという不都合もあった。
【課題を解決するための手段】
【００１５】
この発明は、上記課題を有利に解決することを目的とするものであり、この発明のＬＡＮケーブル保持器具は、筐体開口部内に露出したコネクタにプラグを差し込まれて接続されるＬＡＮケーブルを保持するＬＡＮケーブル保持器具において、前記ＬＡＮケーブルを挿通される筒状のケーブル通路を有し、そのケーブル通路に挿通された前記ＬＡＮケーブルをそのＬＡＮケーブルの最小曲げ半径以上の曲げ半径で少なくともそのＬＡＮケーブルの曲がりの半径方法内側から保持するケーブル引出し部と、前記筐体と別体に形成され、前記筐体開口部の近傍に固定されて、前記ケーブル引出し部を支持するとともに前記コネクタまたは前記プラグを掛止する固定部と、を具えてなるものである。
【発明の効果】
【００１６】
かかるＬＡＮケーブル保持器具にあっては、ＬＡＮケーブルを挿通される筒状のケーブル通路を有するケーブル引出し部が、そのケーブル通路に挿通されたＬＡＮケーブルをそのＬＡＮケーブルの最小曲げ半径以上の曲げ半径で少なくともそのＬＡＮケーブルの曲がりの半径方法内側から保持し、また、筐体と別体に形成されて筐体開口部の近傍に固定された固定部が、ＬＡＮケーブルを挿通された上記ケーブル引出し部を支持するとともにコネクタまたはそのＬＡＮケーブルのプラグを適宜掛止する。
【００１７】
従って、この発明のＬＡＮケーブル保持器具によれば、ケーブル引出し部の筒状のケーブル通路にＬＡＮケーブルを挿通するとともに、そのＬＡＮケーブルの端部のプラグを、筐体開口部内に露出したコネクタに差し込み、次いで、筐体と別体に形成されてそのケーブル引出し部を支持する固定部を、上記コネクタまたはＬＡＮケーブルのプラグに対し少なくともＬＡＮケーブルの引っ張り方向に実質上隙間なく位置するように、筐体開口部の近傍にネジあるいは引っ掛け爪等で固定することにより、ＬＡＮケーブルの使用条件を容易に満たすとともに、ＬＡＮケーブルの引っ張りや不慮の電話機落下などで生じるコネクタへの過負荷を当該ケーブル保持器具と装置筐体とで受け止めることができるので、ＬＡＮケーブルをその使用条件である最小曲げ半径以上に保持しつつ、同時にケーブル引っ張り等の外部からの過負荷によるコネクタ（特にＳＭＤ部品）の破壊やコネクタを実装しているプリント板のフットパターン剥離等による断線を防止することができる。
【００１８】
なお、この発明においては、前記ケーブル引出し部は、前記固定部に固定されるとともに、円弧状に延在する前記ケーブル通路を有するものでも良く、このようにすれば、ＬＡＮケーブル保持器具を装置筐体と別体に形成された別部品にすることで、装置筐体にＬＡＮケーブル保持構造を設ける必要が無くなり、装置の外観デザインの制約条件が少なくなるとともに、コネクタ用の筐体開口部を筐体底面部に設ける場合にＬＡＮケーブル保持器具を取付けられる高さ（空間）を考慮するのみで良いため、装置の外観デザインの自由度を高くすることができる。
【００１９】
また、この発明においては、前記ケーブル引出し部は、前記固定部に固定されるとともに、ラッパ状に延在する前記ケーブル通路を有するものでも良く、あるいは、前記ケーブル引出し部は、前記固定部に回転可能に支持されるとともに、円弧状に延在する前記ケーブル通路を有するものでも良く、これらのようにすれば、ＬＡＮケーブル使用条件の最小曲げ半径以上にＬＡＮケーブルを保持するとともに、ケーブル引っ張り時などの過負荷によるコネクタの取付け端子破損やプリント板のコネクタ実装用フットパターンの剥離等による接続不良を防止しつつ、ＬＡＮケーブル接続時の配線ルートの自由度を向上させることができる。
【発明を実施するための最良の形態】
【００２０】
以下、本発明の実施の形態を実施例によって、図面に基づき詳細に説明する。ここに、図１（ａ），（ｂ），（ｃ）および（ｄ）は、この発明のＬＡＮケーブル保持器具の一実施例を示す正面図、（ａ）のＧ−Ｇ線に沿う断面図、（ａ）のＨ−Ｈ線に沿う断面図および斜視図であり、図中、符号１はＬＡＮケーブル用のストレートタイプのＳＭＤ部品であるコネクタ、２は電話機等の装置の筐体をそれぞれ示す。また符合５はこの実施例のＬＡＮケーブル保持器具を示す。
【００２１】
コネクタ１は、筐体２内に取り付けられたプリント板３上に表面実装されて、筐体２の開口部としてのコネクタ穴２ａ内に周囲に隙間を空けて露出しており、この実施例のＬＡＮケーブル保持器具５は、図１に示すように、そのコネクタ１に図示しないプラグを差し込まれて接続されるＬＡＮケーブル６を保持するためのもので、ＬＡＮケーブル６を挿通される断面角筒状のケーブル通路５ｂを有し、そのケーブル通路５ｂに挿通されたＬＡＮケーブル６をそのＬＡＮケーブル６の最小曲げ半径以上の曲げ半径で周囲から保持するケーブル引出し部５ａと、筐体２と別体に形成され、筐体２のコネクタ穴２ａの近傍に固定されて、ケーブル引出し部５ａを支持するとともにコネクタ１と当接してそれを掛止するブラケット状の固定部５ｃと、を具えてなる。
【００２２】
ここで、ケーブル引出し部５ａは、図１（ｂ），（ｃ）に示すように、固定部５ｃと一体に形成されることで固定部５ｃに固定されており、またケーブル通路５ｂは、図１（ｂ）に示すように、ＬＡＮケーブル６の周囲を囲繞しつつ円弧状に延在していて、その半径方向内側の円弧状の断面形状の半径は、ＬＡＮケーブル６の最小曲げ半径以上とされている。そして固定部５ｃは、図１（ｂ）に示すように、筐体２に設けられたネジ穴２ｄと螺合するネジ７によって筐体２に締着固定されている。
【００２３】
この実施例のＬＡＮケーブル保持器具５によれば、ケーブル引出し部５ａの角筒状のケーブル通路５ｂにＬＡＮケーブル６を挿通するとともに、そのＬＡＮケーブル６の端部のプラグを、筐体２のコネクタ穴２ａ内に露出したコネクタ１に差し込み、次いで、筐体２と別体に形成されてそのケーブル引出し部５ａを支持する固定部５ｃを、コネクタ１に対しＬＡＮケーブル６の引っ張り方向に当接するように筐体２のコネクタ穴２ａの近傍にネジ７で固定することにより、ＬＡＮケーブル６の使用条件を容易に満たすとともに、ＬＡＮケーブル６の引っ張りや不慮の電話機落下などで生じるコネクタ１への過負荷を当該ケーブル保持器具５と装置の筐体２とで受け止めることができるので、ＬＡＮケーブル６をその使用条件である最小曲げ半径以上に保持しつつ、同時にケーブル引っ張り等の外部からの過負荷によるコネクタ１の破壊やコネクタ１を実装しているプリント板３のフットパターン剥離等による断線を防止することができる。
【００２４】
しかもこの実施例のＬＡＮケーブル保持器具５によれば、ケーブル引出し部５ａは、固定部５ｃと一体に形成されることで固定部５ｃに固定されるとともに、円弧状に延在するケーブル通路５ｂを有していることから、ＬＡＮケーブル保持器具５が筐体２と別体に形成された別部品であることで、筐体２にＬＡＮケーブル保持構造を設ける必要が無くなり、装置の外観デザインの制約条件が少なくなるとともに、図４に示す電話機のように、コネクタ１を露出させるためのコネクタ穴２ａを筐体２の底面部に設ける場合にＬＡＮケーブル保持器具５を取り付けられる高さ（空間）を考慮するのみで良いため、装置の外観デザインの自由度を高くすることができる。
【００２５】
図２（ａ），（ｂ），（ｃ）および（ｄ）は、この発明のＬＡＮケーブル保持器具の他の一実施例を示す正面図、（ａ）のＩ−Ｉ線に沿う断面図、（ａ）のＪ−Ｊ線に沿う断面図および斜視図であり、図中、符号１はＬＡＮケーブル用のストレートタイプのＳＭＤ部品であるコネクタ、２は電話機等の装置の筐体をそれぞれ示す。また符合８はこの実施例のＬＡＮケーブル保持器具を示す。
【００２６】
先の実施例と同様、コネクタ１は、筐体２内に取り付けられたプリント板３上に表面実装されて、筐体２の開口部としてのコネクタ穴２ａ内に周囲に隙間を空けて露出しており、この実施例のＬＡＮケーブル保持器具８は、図２に示すように、そのコネクタ１に図示しないプラグを差し込まれて接続されるＬＡＮケーブル６を保持するためのもので、ＬＡＮケーブル６を挿通される断面円筒状のケーブル通路８ｂを有し、そのケーブル通路８ｂに挿通されたＬＡＮケーブル６をそのＬＡＮケーブル６の最小曲げ半径以上の曲げ半径でＬＡＮケーブル６の曲がりの半径方向内側から保持するケーブル引出し部８ａと、筐体２と別体に形成され、筐体２のコネクタ穴２ａの近傍に固定されて、ケーブル引出し部８ａを支持するとともにコネクタ１と当接してそれを掛止するブラケット状の固定部８ｃと、を具えてなる。
【００２７】
ここで、ケーブル引出し部８ａは、図２（ｂ），（ｃ）に示すように、固定部８ｃと一体に形成されることで固定部８ｃに固定されており、またケーブル通路８ｂは、図２（ｂ），（ｃ）に示すように、固定部８ｃから遠ざかるに連れて拡径するラッパ状に延在していて、その円弧状の断面形状の半径は、ＬＡＮケーブル６の最小曲げ半径以上とされている。そして固定部８ｃは、図２（ｂ）に示すように、先の実施例と同様、筐体２に設けられたネジ穴と螺合するネジ７によって筐体２に締着固定されている。
【００２８】
この実施例のＬＡＮケーブル保持器具８によっても、先の実施例と同様、ＬＡＮケーブル６の使用条件を容易に満たすとともに、ＬＡＮケーブル６の引っ張りや不慮の電話機落下などで生じるコネクタ１への過負荷を当該ケーブル保持器具８と装置の筐体２とで受け止めることができるので、ＬＡＮケーブル６をその使用条件である最小曲げ半径以上に保持しつつ、同時にケーブル引っ張り等の外部からの過負荷によるコネクタ１の破壊やコネクタ１を実装しているプリント板３のフットパターン剥離等による断線を防止することができる。
【００２９】
しかもこの実施例のＬＡＮケーブル保持器具８によれば、ケーブル引出し部８ａは、固定部８ｃと一体に形成されることで固定部８ｃに固定されるとともに、ラッパ状に延在するケーブル通路８ｂを有していることから、ＬＡＮケーブル保持器具８が筐体２と別体に形成された別部品であることで、筐体２にＬＡＮケーブル保持構造を設ける必要が無くなり、装置の外観デザインの制約条件が少なくなるとともに、図４に示す電話機のように、コネクタ１を露出させるためのコネクタ穴２ａを筐体２の底面部に設ける場合にＬＡＮケーブル保持器具８を取り付けられる高さ（空間）を考慮するのみで良いため、装置の外観デザインの自由度を高くすることができ、さらに、ＬＡＮケーブル使用条件の最小曲げ半径以上にＬＡＮケーブル６を保持しつつ、ＬＡＮケーブル６の引き出し方向を適宜に変え得るので、ＬＡＮケーブル接続時の配線ルートの自由度を向上させることができる。
【００３０】
図３（ａ），（ｂ），（ｃ）および（ｄ）は、この発明のＬＡＮケーブル保持器具のさらに他の一実施例を示す正面図、（ａ）のＫ−Ｋ線に沿う断面図、（ａ）のＬ−Ｌ線に沿う断面図およびケーブル引出し部の二つの状態を示す斜視図であり、図中、符号１はＬＡＮケーブル用のストレートタイプのＳＭＤ部品であるコネクタ、２は電話機等の装置の筐体をそれぞれ示す。また符合９はこの実施例のＬＡＮケーブル保持器具を示す。
【００３１】
先の実施例と同様、コネクタ１は、筐体２内に取り付けられたプリント板３上に表面実装されて、筐体２の開口部としてのコネクタ穴２ａ内に周囲に隙間を空けて露出しており、この実施例のＬＡＮケーブル保持器具９は、図３に示すように、そのコネクタ１に図示しないプラグを差し込まれて接続されるＬＡＮケーブル６を保持するためのもので、ＬＡＮケーブル６を挿通される断面角筒状のケーブル通路９ｂを有し、そのケーブル通路９ｂに挿通されたＬＡＮケーブル６をそのＬＡＮケーブル６の最小曲げ半径以上の曲げ半径で周囲から保持するケーブル引出し部９ａと、筐体２と別体に形成され、筐体２のコネクタ穴２ａの近傍に固定されて、ケーブル引出し部９ａを支持するとともにコネクタ１と当接してそれを掛止するブラケット状の固定部９ｃと、を具えてなる。
【００３２】
ここで、ケーブル引出し部９ａは、図３（ｂ），（ｃ）に示すように、固定部９ｃと別体に形成されるとともに基部に円形の外周溝９ｄを有し、その外周溝９ｄで固定部９ｃのリング状の内周フランジ９ｅと図中矢印で示すように３６０度回動可能に嵌まり合うことで固定部９ｃに支持されており、またケーブル通路９ｂは、図３（ｂ）に示すように、ＬＡＮケーブル６の周囲を囲繞しつつ円弧状に延在していて、その半径方向内側の円弧状の断面形状の半径は、ＬＡＮケーブル６の最小曲げ半径以上とされている。そして固定部９ｃは、図３（ｂ）に示すように、先の実施例と同様、筐体２に設けられたネジ穴と螺合するネジ７によって筐体２に締着固定されている。なお、図示例では、ケーブル引出し部９ａは、固定部９ｃの内側から内周フランジ９ｅ内に挿通された、外周フランジを持つ円筒状部品９ｆを基部側の端部に挿入されて接着されることで、固定部９ｃと３６０度回動可能に嵌まり合っている。
【００３３】
この実施例のＬＡＮケーブル保持器具９によっても、先の実施例と同様、ＬＡＮケーブル６の使用条件を容易に満たすとともに、ＬＡＮケーブル６の引っ張りや不慮の電話機落下などで生じるコネクタ１への過負荷を当該ケーブル保持器具９と装置の筐体２とで受け止めることができるので、ＬＡＮケーブル６をその使用条件である最小曲げ半径以上に保持しつつ、同時にケーブル引っ張り等の外部からの過負荷によるコネクタ１の破壊やコネクタ１を実装しているプリント板３のフットパターン剥離等による断線を防止することができる。
【００３４】
しかもこの実施例のＬＡＮケーブル保持器具９によれば、ケーブル引出し部９ａは、その基部を固定部８ｃに回動可能に支持されるとともに、円弧状に延在するケーブル通路９ｂを有していることから、ＬＡＮケーブル保持器具９が筐体２と別体に形成された別部品であることで、筐体２にＬＡＮケーブル保持構造を設ける必要が無くなり、装置の外観デザインの制約条件が少なくなるとともに、図４に示す電話機のように、コネクタ１を露出させるためのコネクタ穴２ａを筐体２の底面部に設ける場合にＬＡＮケーブル保持器具９を取り付けられる高さ（空間）を考慮するのみで良いため、装置の外観デザインの自由度を高くすることができ、さらに、ＬＡＮケーブル使用条件の最小曲げ半径以上にＬＡＮケーブル６を保持しつつ、図３（ｄ）に示すように、ケーブル引出し部９ａの向きを適宜に変え得るので、ＬＡＮケーブル接続時の配線ルートの自由度を向上させることができる。
【００３５】
以上、図示例に基づき説明したが、この発明は上述の例に限定されるものでなく、特許請求の範囲の記載範囲内で適宜変更し得るものであり、例えば、ＬＡＮケーブルのプラグがコネクタから突出するものの場合には、固定部は、そのＬＡＮケーブルのプラグに当接してプラグごとコネクタを掛止するものでも良い。また固定部は、筐体開口部の近傍に引っ掛け爪で固定しても良い。そしてこの発明のＬＡＮケーブル保持器具は、ライトアングルタイプのコネクタ４に適用しても良く、その場合でもストレートタイプのコネクタ１の場合と同様の作用効果をもたらすことができる。
【産業上の利用可能性】
【００３６】
かくしてこの発明のＬＡＮケーブル保持器具によれば、ＬＡＮケーブルをその使用条件である最小曲げ半径以上に保持しつつ、同時にケーブル引っ張り等の外部からの過負荷によるコネクタの破壊やコネクタを実装しているプリント板のフットパターン剥離等による断線を防止することができる。
【図面の簡単な説明】
【００３７】
【図１】（ａ），（ｂ），（ｃ）および（ｄ）は、この発明のＬＡＮケーブル保持器具の一実施例を示す正面図、（ａ）のＧ−Ｇ線に沿う断面図、（ａ）のＨ−Ｈ線に沿う断面図および斜視図である。
【図２】（ａ），（ｂ），（ｃ）および（ｄ）は、この発明のＬＡＮケーブル保持器具の他の一実施例を示す正面図、（ａ）のＩ−Ｉ線に沿う断面図、（ａ）のＪ−Ｊ線に沿う断面図および斜視図である。
【図３】（ａ），（ｂ），（ｃ）および（ｄ）は、この発明のＬＡＮケーブル保持器具のさらに他の一実施例を示す正面図、（ａ）のＫ−Ｋ線に沿う断面図、（ａ）のＬ−Ｌ線に沿う断面図およびケーブル引出し部の二つの状態を示す斜視図である。
【図４】（ａ），（ｂ）は、通信機器の一種として電話機を例示する平面図および底面図である。
【図５】（ａ），（ｂ）および（ｃ）は、コネクタと電話機等の装置の筐体との間の、コネクタの保護のない従来の構造を示す正面図、同図のＡ−Ａ断面図およびＢ−Ｂ断面図である。
【図６】（ａ），（ｂ）および（ｃ）は、図５に示すと同様のストレートタイプのコネクタと電話機等の装置の筐体との間の、コネクタの保護を図る場合の構造を示す正面図、同図のＣ−Ｃ断面図およびＤ−Ｄ断面図である。
【図７】（ａ），（ｂ）および（ｃ）は、ライトアングルタイプのコネクタと電話機等の装置の筐体との間の、コネクタの保護を図る場合の構造を示す正面図、同図のＥ−Ｅ断面図およびＦ−Ｆ断面図である。
【符号の説明】
【００３８】
１  ストレートタイプのコネクタ
２  筐体
２ａ  コネクタ穴
２ｂ  突起形状部
２ｃ  リブ
２ｄ  ネジ穴
３  プリント板
４  ライトアングルタイプのコネクタ
５，８，９  ＬＡＮケーブル保持器具
５ａ，８ａ，９ａ  
５ｂ，８ｂ，９ｂ  
５ｃ，８ｃ，９ｃ  
６  ＬＡＮケーブル
７  ネジ
９ｄ  外周溝
９ｅ  内周フランジ
９ｆ  円筒状部品
【図１】
2006352012.tif 000003
【図２】
2006352012.tif 000004
【図３】
2006352012.tif 000005
【図４】
2006352012.tif 000006
【図５】
2006352012.tif 000007
【図６】
2006352012.tif 000008
【図７】
2006352012.tif 000009